(57)【要約】【課題】携帯電話用カメラにおけるアタッチメント、即ち、交換レンズ、並びに各種フィルター等のマウント装置を提供する。【解決手段】携帯電話用カメラのレンズ前面に装着置される交換レンズ、並びに各種フィルター等のアタッチメントは両面テープを介して前記カメラレンズ前面に貼着された磁性体金属からなる突部縁付きリングにマグネットを介して吸着拘止される構成となし、該吸着拘止された交換レンズ、並びに各種フィルター等のアタッチメントは使用終了後前記マグメットの吸着力に対抗する引張力にて任意に携帯電話用カメラのレンズ前面から取り外すことが可能に構成されている。【選択図】図１
2007206137.tif 000002
【特許請求の範囲】
【請求項１】
携帯電話用カメラのレンズ前面に設置され、
該カメラの使用時のみ望遠レンズ、広角レンズ、魚眼レンズ、接写レンズ等の交換レンズ、並びに各種フィルター等のアタッチメントを任意に選択し、
該アタッチメントを携帯電話用カメラのレンズ前面に一体乃至一体的に装着可能に構成したこと、
を特徴とする携帯電話用カメラ等における交換レンズ並びにフィルターのマウント装置。
【請求項２】
前記携帯電話用カメラのレンズ前面に装着置される交換レンズ、並びに各種フィルター等のアタッチメントは両面テープを介して前記カメラレンズ前面に貼着された磁性体金属からなる突部縁付きリングにマグネットを介して吸着拘止される構成となし、
該吸着拘止された交換レンズ、並びに各種フィルター等のアタッチメントは使用終了後前記マグメットの吸着力に対抗する引張力にて任意に携帯電話用カメラのレンズ前面から取り外すことが可能に構成されていること、
を特徴とする請求項１記載の携帯電話用カメラ等における交換レンズ並びにフィルターのマウント装置。
【請求項３】
前記携帯電話用カメラのレンズ前面に装着置される交換レンズ、並びに各種フィルター等のアタッチメントは両面テープを介して前記カメラレンズ前面に貼着される構成となし、
該両面テープを介して貼着された交換レンズ、並びに各種フィルター等のアタッチメントは使用終了後両面テープ部を剥がすことにより任意に携帯電話用カメラのレンズ前面から取り外すことが可能に構成されていること、
を特徴とする請求項１記載の携帯電話用カメラ等における交換レンズ並びにフィルターのマウント装置。
【請求項４】
前記携帯電話用カメラのレンズ前面に装着置される交換レンズ、並びに各種フィルター等のアタッチメントは両面テープを介して前記カメラレンズ前面に貼着される構成となし、該両面テープを介して貼着された交換レンズ、並びに各種フィルター等のアタッチメントは使用終了後任意に携帯電話用カメラのレンズ前面から取り外すことが可能に構成されている交換レンズ並びにフィルターのマウント装置において、
前記交換レンズやフィルター等のアタッチメントの取り外しは該アタッチメントと携帯電話用カメラのレンズ前面間側の両面テープ貼着面の剥離にて行うように構成されていること、
を特徴とする請求項３記載の携帯電話用カメラ等における交換レンズ並びにフィルターのマウント装置。      
【請求項５】
前記携帯電話用カメラのレンズ前面に装着置される交換レンズ、並びに各種フィルター等のアタッチメントは前記カメラレンズに対向する部分に螺合用雄ネジが刻設されており、
該アタッチメントの螺合用雄ネジは両面テープを介して前記カメラレンズ前面に貼着された雌ネジ螺合部付きリングに螺着される構成となし、
該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されていること、
を特徴とする請求項１記載の携帯電話用カメラ等における交換レンズ並びにフィルターのマウント装置。
【請求項６】
前記携帯電話用カメラのレンズ前面に装着される交換レンズ、並びに各種フィルター等のアタッチメントは前記カメラレンズに対向する部分に螺合用雄ネジが刻設されており、
該アタッチメントの螺合用雄ネジは前記携帯電話本体のカメラレンズ前面にネジ等により装着された螺合用ネジ付きリングを介して携帯電話に一体乃至一体的に螺着される構成となし、
該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されていること、
を特徴とする請求項１記載の携帯電話用カメラ等における交換レンズ並びにフィルターのマウント装置。
【請求項７】
前記携帯電話用カメラのレンズ前面に装着される交換レンズ、並びに各種フィルター等のアタッチメントは前記カメラレンズに対向する部分の外径部分にスプリングを介して突出する係合突起ボールを少なくとも三個設け、
該係合突起ボールを有するアタッチメントは前記携帯電話本体のカメラレンズ前面にネジ等により装着された係合突起ボール嵌合溝付きリングを介して携帯電話に一体乃至一体的に嵌着される構成となし、
該嵌着された交換レンズ、並びに各種フィルター等のアタッチメントは使用終了後前記係合突起ボールと係合突起ボール嵌合溝付きリングとの嵌着を脱着することにより任意に携帯電話用カメラのレンズ前面から取り外すことが可能に構成されていること、
を特徴とする請求項１記載の携帯電話用カメラ等における交換レンズ並びにフィルターのマウント装置。
【発明の詳細な説明】
【技術分野】
【０００１】
本発明は、携帯電話用カメラにおけるアタッチメント、即ち、交換レンズ、並びに各種フィルター等のマウント装置に関するものである。
【背景技術】
【０００２】
近時、携帯電話には、多くの場合、デジタルカメラやムービーカメラが内蔵されており、フォト（静止画）やムービー（動画）を撮影することができる。
また、携帯電話のフォトやムービーは、ピント調整なしで近距離から遠景までを撮影できるオートフォーカス機能や、被写体に約５ｃｍ近づいてのマクロ撮影（接写）や、近距離から遠距離までを最大で約１６倍に、３１段階のズームで被写体までの距離を調整可能な高機能のデジタルカメラが内蔵されており、該デジタルカメラの高機能化は、カメラの分解能レベルを示す有効画素数の飛躍的な高性能化と共に留まるところを知らない。
【０００３】
而して、前記高機能化、並びに高性能化した携帯電話用カメラに、従来から使用されてきた光学的な交換レンズ、例えば、望遠レンズ、広角レンズ、魚眼レンズ、接写レンズ等を併用して使用する方法や、また、携帯電話用カメラの高性能化に伴い携帯電話のメインディスプレイ内でフィルターの使用効果をダイレクトに確認しながら撮影する方法も可能になってきており、フィルターにおいては、円偏光フィルター、光量減少用フィルター、特殊効果をもたらす光条効果用フィルター、被写体を柔らかく表現できるソフトフォーカス用フィルター等の利用が見込まれる。
【０００４】
然しながら、携帯電話の厚さは超薄型で軽量化に向かって凌ぎを削っており、携帯電話用のカメラレンズ前面に突起物となる交換レンズや各種フィルターが装着されていることは、機能的にも、また、デザイン的にも望ましいものではない。
【０００５】
また、今までに販売され、利用されている携帯電話にあっては、該携帯電話用のカメラレンズ前面に突起物となる交換レンズや各種フィルターが装着されて使用されるという発想がなかったために後付けにて、前記交換レンズや各種フィルターを装着、固定する構成のものは全くなかった。
【発明の開示】
【発明が解決しようとする課題】
【０００６】
本発明が解決しようとする課題は、今までに販売され利用されている携帯電話用カメラに交換レンズや各種フイルター等のアタッチメントを必要に応じて装着して利用できでき、また、該アタッチメントの利用後には、簡単に前記交換レンズや各種フイルター等のアタッチメントを携帯電話から取り外すことのできる携帯電話用カメラにおける交換レンズ、並びにフィルターのマウント装置を提供するものである。
【０００７】
また、本発明は、これから製品化され、販売される携帯電話において内蔵されるカメラレンズ前面に、簡単で、且つ、安価で確実な交換レンズ、並びにフィルター等のアタッチメントを着脱自在なマウント装置を具現化するものである。
【課題を解決するための手段】
【０００８】
本発明は、携帯電話用カメラのレンズ前面に設置され、該カメラの使用時のみ望遠レンズ、広角レンズ、魚眼レンズ、接写レンズ等の交換レンズ、並びに各種フィルター等のアタッチメントを任意に選択し、該アタッチメントを携帯電話用カメラのレンズ前面に一体乃至一体的に装着可能に構成した携帯電話用カメラ等における交換レンズ並びにフィルターのマウント装置である。
【０００９】
また、本発明において、携帯電話用カメラのレンズ前面に装着置される交換レンズ、並びに各種フィルター等のアタッチメントは、両面テープを介して前記カメラレンズ前面に貼着された磁性体金属からなる突部縁付きリングにマグネットを介して吸着拘止される構成となし、該吸着拘止された交換レンズ、並びに各種フィルター等のアタッチメントは使用終了後前記マグメットの吸着力に対抗する引張力にて任意に携帯電話用カメラのレンズ前面から取り外すことが可能に構成されている携帯電話用カメラ等における交換レンズ並びにフィルターのマウント装置である。
【００１０】
また本発明において、携帯電話用カメラのレンズ前面に装着置される交換レンズ、並びに各種フィルター等のアタッチメントは、両面テープを介して前記カメラレンズ前面に貼着される構成となし、該両面テープを介して貼着された交換レンズ、並びに各種フィルター等のアタッチメントは使用終了後両面テープ部を剥がすことにより任意に携帯電話用カメラのレンズ前面から取り外すことが可能に構成されている携帯電話用カメラ等における交換レンズ並びにフィルターのマウント装置である。
【００１１】
また本発明において、携帯電話用カメラのレンズ前面に装着置される交換レンズ、並びに各種フィルター等のアタッチメントは、両面テープを介して前記カメラレンズ前面に貼着される構成となし、該両面テープを介して貼着された交換レンズ、並びに各種フィルター等のアタッチメントは使用終了後任意に携帯電話用カメラのレンズ前面から取り外すことが可能に構成されている交換レンズ並びにフィルターのマウント装置において、前記交換レンズやフィルター等のアタッチメントの取り外しは該アタッチメントと携帯電話用カメラのレンズ前面間側の両面テープ貼着面の剥離にて行うように構成されている携帯電話用カメラ等における交換レンズ並びにフィルターのマウント装置である。      
【００１２】
また本発明において、携帯電話用カメラのレンズ前面に装着置される交換レンズ、並びに各種フィルター等のアタッチメントは、前記カメラレンズに対向する部分に螺合用雄ネジが刻設されており、該アタッチメントの螺合用雄ネジは両面テープを介して前記カメラレンズ前面に貼着された雌ネジ螺合部付きリングに螺着される構成となし、該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されている携帯電話用カメラ等における交換レンズ並びにフィルターのマウント装置である。
【００１３】
また本発明において、携帯電話用カメラのレンズ前面に装着される交換レンズ、並びに各種フィルター等のアタッチメントは、前記カメラレンズに対向する部分に螺合用雄ネジが刻設されており、該アタッチメントの螺合用雄ネジは前記携帯電話本体のカメラレンズ前面にネジ等により装着された螺合用ネジ付きリングを介して携帯電話に一体乃至一体的に螺着される構成となし、該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されている携帯電話用カメラ等における交換レンズ並びにフィルターのマウント装置である。
【００１４】
更にまた、本発明において、携帯電話用カメラのレンズ前面に装着される交換レンズ、並びに各種フィルター等のアタッチメントは、前記カメラレンズに対向する部分の外径部分にスプリングを介して突出する係合突起ボールを少なくとも三個設け、該係合突起ボールを有するアタッチメントは前記携帯電話本体のカメラレンズ前面にネジ等により装着された係合突起ボール嵌合溝付きリングを介して携帯電話に一体乃至一体的に嵌着される構成となし、該嵌着された交換レンズ、並びに各種フィルター等のアタッチメントは使用終了後前記係合突起ボールと係合突起ボール嵌合溝付きリングとの嵌着を脱着することにより任意に携帯電話用カメラのレンズ前面から取り外すことが可能に構成されている携帯電話用カメラ等における交換レンズ並びにフィルターのマウント装置である。
【発明の効果】
【００１５】
斯くして、本発明は、今までに販売され利用されている携帯電話用カメラに交換レンズや各種フイルター等のアタッチメントを必要に応じて装着して利用でき、また、該アタッチメントを使用後には簡単に取り外すことのできる携帯電話用カメラにおける交換レンズレンズ、並びにフィルターのマウント装置を提供するもので、高機能化、並びに高性能化した携帯電話用カメラに前記アタッチメントを着脱自在に構成することにより、携帯電話用のカメラが、より一層その利用範囲の拡大を増進することができる。
【００１６】
また、本発明は、携帯電話において内蔵されるカメラレンズ前面に、簡単で、且つ、安価で確実な交換レンズ、並びにフィルターのマウント装置を提供するもので、本発明のマウント装置は、簡単に交換レンズやフィルターの着脱操作をすることが可能であるために、前記交換レンズやフィルターを適宜選択して利用する際に、該交換レンズやフィルターの利用時のみ携帯電話用のカメラレンズ前面に突出するレンズやフィルターを装着するもので、利用後は簡単に取り外すことができるために、携帯電話の超薄型機能を全く阻害するものではない、という利点がある。
【発明を実施するための最良の形態】
【００１７】
本発明は、携帯電話用カメラのレンズ前面に設置され、該カメラの使用時のみ望遠レンズ、広角レンズ、魚眼レンズ、接写レンズ等の交換レンズ、並びに各種フィルター等のアタッチメントを任意に選択し、該アタッチメントを携帯電話用カメラのレンズ前面に一体乃至一体的に装着可能に構成した携帯電話用カメラ等における交換レンズ並びにフィルターのマウント装置であることが好ましい。
【００１８】
また、本発明において、携帯電話用カメラのレンズ前面に装着置される交換レンズ、並びに各種フィルター等のアタッチメントは、両面テープを介して前記カメラレンズ前面に貼着された磁性体金属からなる突部縁付きリングにマグネットを介して吸着拘止される構成となし、該吸着拘止された交換レンズ、並びに各種フィルター等のアタッチメントは使用終了後前記マグメットの吸着力に対抗する引張力にて任意に携帯電話用カメラのレンズ前面から取り外すことが可能に構成されている携帯電話用カメラ等における交換レンズ並びにフィルターのマウント装置であることが好ましい。
【００１９】
また本発明において、携帯電話用カメラのレンズ前面に装着置される交換レンズ、並びに各種フィルター等のアタッチメントは、両面テープを介して前記カメラレンズ前面に貼着される構成となし、該両面テープを介して貼着された交換レンズ、並びに各種フィルター等のアタッチメントは使用終了後両面テープ部を剥がすことにより任意に携帯電話用カメラのレンズ前面から取り外すことが可能に構成されている携帯電話用カメラ等における交換レンズ並びにフィルターのマウント装置であることが好ましい。
【００２０】
また本発明において、携帯電話用カメラのレンズ前面に装着置される交換レンズ、並びに各種フィルター等のアタッチメントは、両面テープを介して前記カメラレンズ前面に貼着される構成となし、該両面テープを介して貼着された交換レンズ、並びに各種フィルター等のアタッチメントは使用終了後任意に携帯電話用カメラのレンズ前面から取り外すことが可能に構成されている交換レンズ並びにフィルターのマウント装置において、前記交換レンズやフィルター等のアタッチメントの取り外しは該アタッチメントと携帯電話用カメラのレンズ前面間側の両面テープ貼着面の剥離にて行うように構成されている携帯電話用カメラ等における交換レンズ並びにフィルターのマウント装置であることが好ましい。      
【００２１】
また本発明において、携帯電話用カメラのレンズ前面に装着置される交換レンズ、並びに各種フィルター等のアタッチメントは、前記カメラレンズに対向する部分に螺合用雄ネジが刻設されており、該アタッチメントの螺合用雄ネジは両面テープを介して前記カメラレンズ前面に貼着された雌ネジ螺合部付きリングに螺着される構成となし、該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されている携帯電話用カメラ等における交換レンズ並びにフィルターのマウント装置であることが好ましい。
【００２２】
また本発明において、携帯電話用カメラのレンズ前面に装着される交換レンズ、並びに各種フィルター等のアタッチメントは、前記カメラレンズに対向する部分に螺合用雄ネジが刻設されており、該アタッチメントの螺合用雄ネジは前記携帯電話本体のカメラレンズ前面にネジ等により装着された螺合用ネジ付きリングを介して携帯電話に一体乃至一体的に螺着される構成となし、該螺着された交換レンズ、並びに各種フィルター等のアタッチメントは使用終了後前記アタッチメントに刻設された螺合用雄ネジの螺着を脱着することにより任意に携帯電話用カメラのレンズ前面から取り外すことが可能に構成されている携帯電話用カメラ等における交換レンズ並びにフィルターのマウント装置であることが好ましい。
【００２３】
また、本発明において、携帯電話用カメラのレンズ前面に装着される交換レンズ、並びに各種フィルター等のアタッチメントは、前記カメラレンズに対向する部分の外径部分にスプリングを介して突出する係合突起ボールを少なくとも三個設け、該係合突起ボールを有するアタッチメントは前記携帯電話本体のカメラレンズ前面にネジ等により装着された係合突起ボール嵌合溝付きリングを介して携帯電話に一体乃至一体的に嵌着される構成となし、該嵌着された交換レンズ、並びに各種フィルター等のアタッチメントは使用終了後前記係合突起ボールと係合突起ボール嵌合溝付きリングとの嵌着を脱着することにより任意に携帯電話用カメラのレンズ前面から取り外すことが可能に構成されている携帯電話用カメラ等における交換レンズ並びにフィルターのマウント装置であることが好ましい。
【００２４】
更にまた、本発明において、使用される携帯電話用カメラのレンズ前面に装着される交換レンズは、望遠レンズ、広角レンズ、魚眼レンズ、接写レンズ等でああること、並びに各種フィルターとは、円偏光フィルター、光量減少用フィルター、特殊効果をもたらす光条効果用フィルター、被写体を柔らかく表現できるソフトフォーカス用フィルター等の利用が見込まれ、他にも携帯電話用のカメラの機能性を損なわないアタッチメントの使用は当然のことながら大いに好ましい。
【実施例１】
【００２５】
図１乃至図４は本発明の実施例１を説明するもので、図１は、実施例１の構成を説明する斜視説明図、図２は同じく実施例１の構成を示す側面図、図３は図２の拡大要部断面図、図４（ａ）、（ｂ）は実施例１の操作説明図である。
【００２６】
図１乃至図４において、１は携帯電話本体、２は裏面にメインディスプレイを具備するディスプレイ部、３は裏面にダイヤルキーやストロールキーを有する操作部であり、前記、ディスプレイ部の表面４に携帯電話に内蔵されたカメラのレンズ部５、並びに着信ランプ等を備えたサブディスプレイ部６が設けられている。  
【００２７】
尚、図１おいて、特に７は電池パックカバー、８はスピーカ、９は携帯電話を折り畳むための丁番部で、図１は、おおよそ最近の携帯電話の外観形状を示しており、また、図３における１０ａ、１０ｂは交換レンズを構成するレンズ鏡筒内のレンズ配列をイメージ的に図示している。
【００２８】
斯くして、図１乃至図４において、携帯電話用カメラレンズの前面１１には、携帯該カメラの使用時のみ望遠レンズ、広角レンズ、魚眼レンズ、接写レンズ等の交換レンズ１２が配置され、該交換レンズ１２は任意に選択され、携帯電話用の交換レンズアタッチメントとして、マウント装置１３を介して携帯電話用カメラのレンズ前面１１に一体乃至一体的に装着可能に構成されている。  
【００２９】
また、実施例１において、携帯電話用カメラのレンズ前面１１に装着される交換レンズ１２のマウント装置１３は、具体的構成として、両面テープ１４を介して前記カメラレンズ前面１１に貼着される磁性体金属（マグネットが吸着する金属材料）からなる突部縁１５を有した突部縁付きリング１６であり、該突部縁付きリング１６を図４（ａ）の如く両面テープ１４を介して携帯電話用カメラのレンズ前面１１に貼着して装備した後に、マグネット面１７を具備した交換レンズ１２の携帯電話用カメラのレンズ前面１１に対向した部分を図４（ｂ）の如く、前記突部縁付きリング１６の突部縁１５に挿着する如く吸着せしめて拘止させる。
【００３０】
而して、前記マグネット面１７を具備した交換レンズ１２の携帯電話用カメラレンズの前面１１に対向した部分を図４（ｂ）の如く、前記突部縁付きリング１６の突部縁１５に挿着する如く吸着せしめて拘止させることは、携帯電話用カメラレンズの前面１１にマウントした交換レンズ１２をズレることなく強固に吸着拘止される構成としている。
【００３１】
そして、該吸着拘止された交換レンズ１２は使用終了後前記マグメット面１７の吸着力に対抗する引張力にて任意に携帯電話用カメラのレンズ前面１１から取り外すことが可能に構成されている携帯電話用カメラ等における交換レンズのマウント装置である。
【実施例２】
【００３２】
図５並びに図６は、実施例２の構成を説明するもので、図５は実施例２の構成を示すフィルター等のアタッチメントを用いて説明する側面図、図６は実施例２の構成を交換レンズ等のアタッチメントを用いて説明する拡大要部断面図である。
【００３３】
図５並びに図６において、１は携帯電話本体、２は携帯電話のディスプレイ部を一部省略して図示したもので、図５において、１１はディスプレイ部の表面４に設けられた携帯電話用カメラのレンズ前面、１８はフィルター等のアタッチメント、１９はリング形状の両面テープを示している。
【００３４】
而して、前記フィルター１８はリング形状の両面テープ１９を介して携帯電話用カメラのレンズ前面１１にフィルター１８を貼着するものであり、図６に示す他の実施例２においては、前記フィルター１８等のアタッチメントに替わり前記交換レンズ１２をリング形状の両面テープ１９を介して携帯電話用カメラのレンズ前面１１に貼着している。
【００３５】
而して、実施例２においては、リング形状の両面テープ１９を介してフィルター１８や交換レンズ１２を携帯電話用カメラのレンズ前面１１に貼着するものであるが、該両面テープ１９を介して貼着される各種フィルター１８や、た交換レンズ１２等のアタッチメントは使用終了後任意に携帯電話用カメラのレンズ前面１１から取り外すことが可能に構成されており、該フィルター１８や交換レンズ１２のマウント装置１３となる部分での前記フィルター１８や、交換レンズ１２等のアタッチメントの取り外しは、該アタッチメントと携帯電話用カメラのレンズ前面１１間側の両面テープ貼着面２０a部の剥離にて行うように構成される。
【００３６】
即ち、フィルター１８や交換レンズ１２のマウント装置１３となる両面テープ１９は、その貼着面２０ａ、２０ｂにて貼着面の強度を変えることが可能で、例えば、前記フィルター１８や、交換レンズ１２等のアタッチメントの取り外しに関与しない部分の前記貼着面２０ｂは構造用の粘着剤の如く経年で硬化して剥がれにくい粘着剤を使う等の方法が選択できる。
【００３７】
そして、上述の構成を採用することにより、フィルター１８や、交換レンズ１２等のアタッチメントの取り外しは、常にアタッチメント側に両面テープ１９が残るようにすることができる。
【実施例３】
【００３８】
図７は実施例３の構成を説明する側面図であり、該側面図において、１は携帯電話本体、２は携帯電話のディスプレイ部を一部省略して拡大図示したものである。
【００３９】
図７において、１１はディスプレイ部２の表面４に設けられた携帯電話用カメラのレンズ前面、１２は交換レンズ等のアタッチメントであり、該交換レンズの１２の取り付け部２１には螺合用雄ネジ２２が刻設されており、また、マウント装置１３を形成する雌ネジ螺合ネジ付きリング２３は両面テープ１４を介して前記携帯電話用カメラのレンズ前面１１に貼着されている。
【００４０】
而して、実施例３は、携帯電話用カメラのレンズ前面１１に雌ネジ螺合部付きリング２３を両面テープ１４を介して貼着しており、該雌ネジ螺合ネジ付きリング２３に予め刻設された交換レンズ１２の螺合用雄ネジ２２を螺着することにより、前記交換レンズ１２のアタッチメントを装着できるものである。
【００４１】
従って、実施例３は、携帯電話用カメラのレンズ前面１１に装着される交換レンズ１２、並びに同様の取り付け部２１を各種フィルター等のアタッチメント１８に具備することにより、前記アタッチメントに対向する部分に螺合用雄ネジ２２が刻設されており、該アタッチメントの螺合用雄ネジ２２は両面テープ１４を介して前記カメラレンズ前面１１に貼着された雌ネジ螺合部付きリング２３に螺着される構成とした。
【００４２】
そして、該雌ネジ螺合部付きリング２３に螺着された交換レンズ１２、並びに各種フィルター等のアタッチメント１８は、使用終了後に前記それぞれのアタッチメントに刻設された螺合用雄ネジ２２の螺着を脱着することにより任意に携帯電話用カメラのレンズ前面１１から取り外すことが可能に構成されている携帯電話用カメラ等における交換レンズ並びにフィルターのマウント装置である。
【実施例４】
【００４３】
図８は実施例４の構成を説明する側面図であり前記図１乃至図７と同一構成要素は同一符号にて表示している。而して図８の側面図において、１は携帯電話本体、２は携帯電話のディスプレイ部を一部省略して拡大図示したものである。
【００４４】
また、図８において、１１は携帯電話用カメラのレンズ前面を示し、１２は交換レンズ、２１は該交換レンズに刻設された取り付け部で、該取り付け部２１には螺合用雄ネジ２２が刻設されている。
【００４５】
而して、前記交換レンズ１２に刻設された螺合用雄ネジ２２は、携帯電話本体１の携帯電話用カメラレンズの前面１１にネジ２４等により装着された螺合用ネジ付きリング２５を介して携帯電話に一体乃至一体的に螺着されている。
【００４６】
従って、実施例４は、携帯電話用カメラのレンズ前面１１に装着される交換レンズ１２、並びに同様の取り付け部２１を有する各種フィルター等のアタッチメント１８に利用でき、前記カメラレンズ１１に対向する部分に螺合用雄ネジ２２が刻設されており、該交換レンズ１２やフィルター等のアタッチメント１８の螺合用雄ネジ２２は前記携帯電話本体１のカメラレンズ前面１１にネジ２４等により装着された螺合用ネジ付きリング２５を介して携帯電話に一体乃至一体的に螺着される構成を有している。
【００４７】
そして、前記螺合用ネジ付きリング２５に螺着された交換レンズ１２、並びに各種フィルター等のアタッチメント１８は、使用終了後前記アタッチメントに刻設された螺合用雄ネジ２２の螺着を脱着することにより任意に携帯電話用カメラのレンズ前面１１から取り外すことが可能な携帯電話用カメラ等における交換レンズ並びにフィルターのマウント装置である。
【実施例５】
【００４８】
図９は実施例５の構成を説明する側面図であり、図１０は図９における部分形状説明図である。図９、図１０において、前記図１乃至図８と同一構成要素は同一符号にて表示している。而して図８の側面図において、１は携帯電話本体、２は携帯電話のディスプレイ部を一部省略して拡大図示したものである。
【００４９】
また、図９において、１１は携帯電話用カメラのレンズ前面を示し、１２は交換レンズ、２６は該交換レンズに刻設された取り付け部で、該取り付け部２６の外径部分にスプリング２７ａ、２７ｂ、２７ｃをそれぞれ介して突出する係合突起ボール２８ａ、２８ｂ、２８ｃを少なくとも三個設けている。
【００５０】
上記、取り付け部２６の外径部分に設けられる係合突起ボール２８ａの形状を図１０にしめしている。係合突起ボール２８ａ、２８ｂ、２８ｃは内蔵されたスプリング２７ａ、２７ｂ、２７ｃにより、通常は外部に突出しているが、押圧されると内部に押し戻される作用をする。
【００５１】
而して、実施例５において、携帯電話用カメラのレンズ前面１１に装着される交換レンズ１２、並びに同一構成の係合突起ボール２８ａ、２８ｂ、２８ｃを有する各種フィルター等のアタッチメント１８は、前記携帯電話本体のカメラレンズ前面にネジ２４等により装着された係合突起ボール嵌合溝付きリング２９を介して携帯電話に一体乃至一体的に嵌着される構成としている。
【００５２】
そして、携帯電話用カメラのレンズ前面１１嵌着された交換レンズ１２、並びに各種フィルター等のアタッチメント１８は、該アタッチメントの使用終了後に前記係合突起ボール２８ａ、２８ｂ、２８ｃと係合突起ボール嵌合溝付きリング２９との嵌着を脱着することにより任意に携帯電話用カメラのレンズ前面１１から取り外すことが可能に構成されている携帯電話用カメラ等における交換レンズ並びにフィルターのマウント装置である。
【００５３】
斯くして、本発明の実施例１乃至５にて着脱される交換レンズ１２や各種フィルター等のアタッチメント１８は非常に小型であることもあり、数種類をプラスチック製ケースに入れて携帯電話と共に持ち運びすることは容易であり、また、前記プラスチック製ケースを携帯電話のハンドストラップにする等で使い勝手の良いものとすることができる。
【産業上の利用可能性】
【００５４】
而して、本発明は、今までに販売され利用されている携帯電話用カメラに交換レンズや各種フイルター等のアタッチメントを必要に応じて装着して利用でき、また、これから商品化される新しい携帯電話にも対応できるものであり、本発明のアタッチメントは、該アタッチメントの使用後に簡単に取り外すことのできる携帯電話用カメラにおける交換レンズレンズ、並びにフィルターのマウント装置を提供するものである。そして、高機能化、並びに高性能化した携帯電話用カメラに前記アタッチメントを着脱自在に構成することにより、携帯電話用のカメラが、より一層その利用範囲の拡大を増進することができる等その産業上の利用価値は頗る大きい。。
【図面の簡単な説明】
【００５５】
【図１】実施例１の構成を示す斜視説明図である。
【図２】実施例１の構成を示す側面図である。
【図３】実施例１の拡大要部断面図である。
【図４】（ａ）、（ｂ）実施例１の操作説明図である。
【図５】実施例２の構成を示す側面図である。
【図６】実施例２の構成を説明する拡大要部側面図である。
【図７】実施例３の構成を示す側面図である。
【図８】実施例４の構成を示す側面図である。
【図９】実施例５の構成を示す側面図である。
【図１０】実施例５の部分形状説明図である。
【符号の説明】
【００５６】
１  携帯電話本体
２  ディスプレイ部
３  操作部
４  ディスプレイ部の表面
５  カメラのレンズ部
６  サブディスプレイ部
７  電池パックカバー
８  スピーカ
９  丁番部
１０ａ、１０ｂ  レンズ鏡筒内のレンズ配列
１１  携帯電話用カメラレンズの前面
１２  交換レンズ
１３  マウント装置
１４  両面テープ
１５  突部縁
１６  突部縁付きリング
１７  マグネット面
１８  フィルター等のアタッチメント
１９  リング形状の両面テープ
２０ａ、２０ｂ  粘着面
２１  取り付け部
２２  螺合用雄ネジ
２３  雌ネジ螺合部付きリング
２４  ネジ
２５  螺合用ネジ付きリング
２６  取り付け部
２７ａ、２７ｂ、２７ｃ  スプリング
２８ａ、２８ｂ、２８ｃ  係合突起ボール  
２９  係合突起ボール嵌合溝付きリング
【図１】
2007206137.tif 000003
【図２】
2007206137.tif 000004
【図３】
2007206137.tif 000005
【図４】
2007206137.tif 000006
【図５】
2007206137.tif 000007
【図６】
2007206137.tif 000008
【図７】
2007206137.tif 000009
【図８】
2007206137.tif 000010
【図９】
2007206137.tif 000011
【図１０】
2007206137.tif 000012